(57)【要約】【課題】コンバインの穀稈引起し装置のメンテナンスを行い易くする。【解決手段】複数立設する穀稈引起し装置（７）の上端部を横長の引起し上部カバー（４７）で覆い、該穀稈引起し装置（７）の引起し前ケース（７ａ）を前方へ取り外し可能にすると共に、引起し上部カバー（４７）の後部を取付ピン（４６ａ）で上下回動可能に枢支し、該引起し上部カバー（４７）を下方回動させた状態では該引起し上部カバー（４７）の下端部が引起し前ケース（７ａ）の上端部に覆い被さり、引起し上部カバー（４７）を上方へ回動させて位置保持した状態では該引起し上部カバー（４７）の下端部と引起し前ケース（７ａ）の上端部との間に隙間が形成される構成とした。【選択図】図５
2012029569.tif 000002
【特許請求の範囲】
【請求項１】
複数立設する穀稈引起し装置（７）の上端部を横長の引起し上部カバー（４７）で覆い、該穀稈引起し装置（７）の引起し前ケース（７ａ）を前方へ取り外し可能にすると共に、引起し上部カバー（４７）の後部を取付ピン（４６ａ）で上下回動可能に枢支し、該引起し上部カバー（４７）を下方回動させた状態では該引起し上部カバー（４７）の下端部が引起し前ケース（７ａ）の上端部に覆い被さり、引起し上部カバー（４７）を上方へ回動させて位置保持した状態では該引起し上部カバー（４７）の下端部と引起し前ケース（７ａ）の上端部との間に隙間が形成される構成としたことを特徴とするコンバインの刈取搬送部。
【請求項２】
前記引起し上部カバー（４７）の下側に、穀稈引起し装置（７）へ動力を伝える左右方向の横伝動軸（４５）を設け、前記引起し上部カバー（４７）の後端部を横伝動軸(４５)の後側上部に上下回動可能に枢支し、引起し上部カバー（４７）の前側内面には横伝動軸(４５)の前側に設けた係止杆（４６ｂ）に係止するクリップ（４７ａ）を設け、引起し上部カバー（４７）を下方へ回動させて該引起し上部カバー（４７）の下端部が引起し前ケース（７ａ）の上端部に覆い被さった状態では、クリップ（４７ａ）が係止杆（４６ｂ）に係合して引起し上部カバー（４７）を位置固定し、引起し上部カバー（４７）を上方へ回動させて引起し上部カバー（４７）の下端部と前記引起し前ケース（７ａ）の上端部との間に隙間を形成した状態では、前記クリップ（４７ａ）の先端部が係止杆（４６ｂ）に当接することで該引起し上部カバー（４７）の回動位置を保持する構成としたことを特徴とする請求項１記載のコンバインの刈取搬送部。
【請求項３】
前記穀稈引起し装置（７）を駆動する第二軸（４８ａ）を該穀稈引起し装置（７）側に軸受けして設け、該第二軸（４８ａ）を刈取搬送部（５）側に位置固定された第一軸（４８ｂ）から前方へ引き抜いて、穀稈引起し装置（７）を刈取搬送部（５）から離脱させる構成としたことを特徴とする請求項１又は請求項２に記載のコンバインの刈取搬送部。
【発明の詳細な説明】
【技術分野】
【０００１】
この発明は、コンバインの刈取搬送部に関する。
【背景技術】
【０００２】
コンバインの機体前部には穀稈を引き起して刈り取る刈取搬送部が設けられている。この刈取搬送部は特許文献１に示すように、倒れた植立穀稈を引き起す複数の穀稈引起し装置と引起した穀稈の株元を刈り取る刈刃装置と刈り取った穀稈を脱穀装置へ搬送する搬送装置で構成されている。
【０００３】
起立した複数の穀稈引起し装置の上部は穀稈の穂先が通過するので、穀稈引起し装置の支持部材に穂先側が引っ掛かって脱粒しないように表面の滑らかな引起し上部カバーで支持部材を覆っている。
【先行技術文献】
【特許文献】
【０００４】
【特許文献１】特開２００９−５６２９号公報
【発明の概要】
【発明が解決しようとする課題】
【０００５】
収穫機の穀稈引起し装置は、倒れて絡み合った穀稈を強制的に引き起す作用をするために、穀稈の一部が絡みつき易いために、時々機体から取り外して分解清掃をする必要がある。本発明は、収穫機の穀稈引起し装置のメンテナンス作業を行い易くすることを課題とする。
【課題を解決するための手段】
【０００６】
上記課題は、次の技術手段により解決される。
請求項１に記載の発明は、複数立設する穀稈引起し装置（７）の上端部を横長の引起し上部カバー（４７）で覆い、該穀稈引起し装置（７）の引起し前ケース（７ａ）を前方へ取り外し可能にすると共に、引起し上部カバー（４７）の後部を取付ピン（４６ａ）で上下回動可能に枢支し、該引起し上部カバー（４７）を下方回動させた状態では該引起し上部カバー（４７）の下端部が引起し前ケース（７ａ）の上端部に覆い被さり、引起し上部カバー（４７）を上方へ回動させて位置保持した状態では該引起し上部カバー（４７）の下端部と引起し前ケース（７ａ）の上端部との間に隙間が形成される構成としたことを特徴とするコンバインの刈取搬送部とする。
【０００７】
請求項２に記載の発明は、前記引起し上部カバー（４７）の下側に、穀稈引起し装置（７）へ動力を伝える左右方向の横伝動軸（４５）を設け、前記引起し上部カバー（４７）の後端部を横伝動軸(４５)の後側上部に上下回動可能に枢支し、引起し上部カバー（４７）の前側内面には横伝動軸(４５)の前側に設けた係止杆（４６ｂ）に係止するクリップ（４７ａ）を設け、引起し上部カバー（４７）を下方へ回動させて該引起し上部カバー（４７）の下端部が引起し前ケース（７ａ）の上端部に覆い被さった状態では、クリップ（４７ａ）が係止杆（４６ｂ）に係合して引起し上部カバー（４７）を位置固定し、引起し上部カバー（４７）を上方へ回動させて引起し上部カバー（４７）の下端部と前記引起し前ケース（７ａ）の上端部との間に隙間を形成した状態では、前記クリップ（４７ａ）の先端部が係止杆（４６ｂ）に当接することで該引起し上部カバー（４７）の回動位置を保持する構成としたことを特徴とする請求項１記載のコンバインの刈取搬送部とする。
【０００８】
請求項３に記載の発明は、前記穀稈引起し装置（７）を駆動する第二軸（４８ａ）を該穀稈引起し装置（７）側に軸受けして設け、該第二軸（４８ａ）を刈取搬送部（５）側に位置固定された第一軸（４８ｂ）から前方へ引き抜いて、穀稈引起し装置（７）を刈取搬送部（５）から離脱させる構成としたことを特徴とする請求項１又は請求項２に記載のコンバインの刈取搬送部とする。
【発明の効果】
【０００９】
請求項１に記載の発明によれば、穀稈引起し装置（７）のメンテナンスを行う際には、引起し上部カバー（４７）を上方へ起立させて、引起し前ケース（７ａ）を前方に取り外して内部の掃除点検給油を簡単に行える。
【００１０】
請求項２に記載の発明によれば、上記請求項１に記載の発明の効果を奏するうえで、引起し上部カバー（４７）の前外面の引っ掛かりを無くして穀稈の引起し及び搬送を円滑にし、引起し上部カバー（４７）の下端部に手をかけて上方へ引き上げると、引起し上部カバー（４７）が上方へ回動して開放し、引起し上部カバー（４７）の外周面を押し下げると取付ピン（４６ａ）を中心に下方へ回動して引起し前ケース（７ａ）の上端を覆う状態に出来る。また、引起し上部カバー（４７）を開放した状態では、クリップ（４７ａ）の先端部が係止杆（４６ｂ）に当接することで該引起し上部カバー（４７）の回動位置を保持できるので、この引起し上部カバー（４７）が自重で下方へ回動して他部材と干渉する虞れをなくすことができる。
【００１１】
請求項３に記載の発明によれば、上記請求項１に記載の発明の効果を奏するうえに、穀稈引起し装置（７）側に軸受けされた駆動第二軸（４８ａ）を、刈取搬送部（５）側に位置固定された第一軸（４８ｂ）から前方へ引き抜くことで、穀稈引起し装置（７）の全体を取り外すことが出来、メンテナンスの能率を一層高めることができる。
【図面の簡単な説明】
【００１２】
【図１】コンバインの全体右側面図である。
【図２】コンバインの全体平面図である。
【図３】コンバインの正面図である。
【図４】一部を省略した刈取搬送部の側面図である。
【図５】穀稈引起し装置の上部拡大右側面図である。
【図６】穀稈引起し装置の一部を断面にした正面図である。
【図７】穀稈引起し装置の側面図である。
【図８】穀稈引起し装置の一部拡大正断面図である。
【図９】刈刃装置の平面図である。
【図１０】刈刃装置の側面図である。
【図１１】穀稈引起し装置の一部拡大正断面図である。
【発明を実施するための形態】
【００１３】
以下、本発明の実施形態を図面に示す実施例を参照しながら説明する。
まず、図１乃至図３に基づき本発明を具備するコンバインの全体構成について説明する。図１にはコンバインの全体側面図、図２には全体平面図、図３には正面図が図示されている。
【００１４】
コンバイン１の走行車台２の下方には左右走行クローラ３，３を配設し、走行車台２上に脱穀部４を搭載し、走行車台２の前側部には刈取搬送部５を昇降自在に設けている。
この刈取搬送部５は、複数の分草杆６，…、四列の穀稈引起し装置７、刈刃装置８、穀稈搬送装置（図示省略）等により構成している。
【００１５】
図４に示す如く、刈取搬送部５の後側部には、伝動装置の内装されている前後方向の後側ケース部３１ａと、左右方向の前側ケース部３１ｂからなる平面視Ｔ字型の刈取伝動ケース３１を設けている。この刈取伝動ケース３１の前側ケース部３１ｂの左右両側部から正面視で門型の搬送伝動ケース３２を上方に延出し、この搬送伝動ケース３２の上側端部の横駆動ケース４２に軸支した横伝動軸４５から下方の各引起装置に向けて分岐した引起し駆動軸を内装した引起し駆動パイプ２１の下端部のブラケット２１ａに前記穀稈引起し装置７の上部をボルトとナットで連結して支持している。また、門型の搬送伝動ケース３２の上端部から支持パイプ４１を後方に延出し後側ケース部３１ａの上端部と連結している。前記刈取伝動ケース３１の後側ケース部３１ａ中途部と走行車台２の前端部とが、単動式の油圧シリンダ（図示省略）を介して連結されて、刈取搬送部５が昇降される。
【００１６】
横駆動ケース４２に軸支して門型の搬送伝動ケース３２の上部を連結する横伝動軸４５を覆って引起し上部カバー４７を設けている。図５に示す如く、この引起し上部カバー４７の後内側は、横伝動軸４５を内装する横伝動軸筒４６の後上部に設ける取付ピン４６ａに枢支し、前内側に設けるクリップ４７ａを横伝動軸筒４６の前下方に設ける係止杆４６ｂに挿し込み挟んで係合して固定している。この引起し上部カバー４７の下端は、穀稈引起し装置７の引起し前ケース７ａの上端に前から重なり、引起し上部カバー４７を上方へ回動して開くと、引起し前ケース７ａの取り外しを支障なく行える。引起し上部カバー４７のクリップ４７ａは、左右引起し前ケース７ａの間に取り付け、その取付位置前面に係止目印５０を付け、この係止目印５０近くの引起し上部カバー４７の下端縁に手をかけて持上げると外れ易い。また、クリップ４７ａの先端を係止杆４６ｂに載せて引起し上部カバー４７を若干開いた状態にして引起し上部カバー４７を前方へ取り外すことも可能である。この引起し上部カバー４７を若干開いた状態では、防塵カバーのライトやサイドカバーに当たらないようにしている。
【００１７】
なお、図示を省略しているが、搬送伝動ケース３２内の搬送伝動装置を経由して、穂先搬送装置及び根元搬送装置、並びに、穀稈引起し装置７に動力を伝達している。
次に、穀稈引起し装置７について説明する。
【００１８】
穀稈引起し装置７は、図６と図７に示す如く、引起し前ケース７ａと引起し後ケース７ｂを接合固着し、引起しケース７ｃを構成している。この引起し後ケース７ｂの上下部には、上部スプロケット１３ａ，上部退避側スプロケット１３ｂ及び下部ローラ１２を軸架し、これらのスプロケット１３ａ，１３ｂおよび下部ローラ１２に、引起しラグ１４，…を所定間隔毎に枢支している引起しチェン１１を巻回している。
【００１９】
引起しケース７ｃの左右一側の引起し側には、引起しチェン１１の内側に沿うように上下方向に長い引起しガイドレール１５を設け、引起しケース７ｃの左右他側の退避側下部には、下部ローラ１２の上部近傍に起立ガイド片１６を設け、ケース上部には引起しラグ１４の退避案内用の退避ガイドレール（退避案内部材）１７を設けている。また、引起しラグ１４の左右基部を摺接案内する左右引起しガイドレール１８ａ，１８ａを、引起しガイドレール１５に対向して設け、下部スプロケット１２の下部周面に沿うように、引起しラグ１４の左右基部を摺接案内する左右下部起立ガイド１８ｂ，１８ｂを設けている。
【００２０】
前記構成によると、下側に回動した引起しラグ１４，…の左右基部摺動部１４ａ，１４ａが起立ガイド片１６に当接して、ケース下部で引起しラグ１４，…は起立して突出状態となり、下部スプロケット１２の下方を左右下部起立ガイド１８ｂ，１８ｂに沿って退避側から引起し側に向けて回動する。次いで、引起しラグ１４，…の左右基部摺動部１４ａ，１４ａが引起しガイドレール１５に当接支持され、起立状態を維持しながら上方に移動する。
【００２１】
そして、引起しラグ１４，…が引起しケース７ｃの上部に移動し、左右基部摺動部１４ａ，１４ａが引起しガイドレール１５の上側端部から解放されると、引起しラグ１４の先端部が退避ガイドレール１７に当接して退避回動しケース内に収納され、ケースの退避側では退避状態のまま下方に移動する。
【００２２】
引起し駆動軸４８は、図１１に示す如く、ブラケット２１ａの軸受４４から前に突出する駆動第一軸（第一軸）４８ｂと引起し後ケース７ｂに軸受４３で軸支した駆動第二軸（第二軸）４８ａからなり、駆動第一軸４８ｂの軸端四角部を駆動第二軸４８ａの四角孔部に嵌合させて動力を伝動し、着脱可能である。
【００２３】
引起しケース７ｃは、上部を引起し駆動パイプ２１のブラケット２１ａにボルトとナットで取り付け、下部を分草支持フレーム５１から立ち上げた引起し支持台５２にボルトとナットで取り付けているので、穀稈引起し装置７を一体的に刈取伝動ケース３１から取り外すことも可能である。（図４参照）
次に、図９と図１０に基づき刈刃装置８の駆動構成について説明する。
【００２４】
刈取伝動ケース３１の前側ケース部３１ｂの左右両側部に、左右刈刃伝動ケース３３，３３を設け、左右刈刃伝動ケース３３，３３内の左右刈刃伝動軸３３ａ，３３ａから左右伝動ロッド３３ｂ，３３ｂ、左右揺動アーム３３ｃ，３３ｃを駆動するように構成している。
【００２５】
また、刈取伝動ケース３１の前側ケース部３１ａの左右両側部から左右刈刃フレーム３４，３４を前側に延出し、左右刈刃フレーム３４，３４の先端部に左右方向に沿うように設けている刈刃支持フレーム３５を設け、刈刃支持フレーム３５に連続した一枚状の下側刈刃８ａを固着し、この下側刈刃８ａの上側に左右に分割した左右上側刈刃８ｂ，８ｂを左右摺動自在に装着している。
【００２６】
また、左右上側刈刃８ｂ，８ｂのフレーム部に左右刈刃ヘッド３６，３６を取り付け、左右刈刃ヘッド３６，３６の後側部を後上り傾斜に後方に延出している。この後上り傾斜部の傾斜方向とＵ字状プレート３７，３７の長手方向とが、傾斜角度αを形成するように、Ｕ字状プレート３７，３７の前側Ｕ字型閉鎖部が下り緩傾斜に左右刈刃ヘッド３６，３６に取り付け、Ｕ字状プレート３７，３７を低く構成している。また、前記左右揺動アーム３３ｃ，３３ｃの下部に装着したベアリング３８，３８を、Ｕ字状プレート３７，３７に嵌合装着するにあたり、ベアリング３８，３８の軸心線に対して、Ｕ字状プレート３７，３７の長手方向直線を直交状態でなく、前下がり傾斜状態で嵌合装着し、ベアリング３８，３８とＵ字状プレート３７，３７との間に、下側ほど狭まった空間部を形成するように構成している。
【００２７】
以上の構成により、コンバイン１の回転各部を駆動し走行し刈取作業を開始すると、走行クローラ３，３が回転して走行車台２は走行を開始し、圃場の穀稈は刈取搬送部５の前側部の分草杆６，…により穀稈条列毎に分草されながら穀稈引起し装置７，…に案内され、引起しラグ１４，…により引き起される。そして、引起しされた穀稈は刈刃装置８で刈り取られ、穀稈搬送装置（図示省略）により後方に搬送され、脱穀部４のフィードチェンに引き継がれて脱穀される。
【符号の説明】
【００２８】
５      刈取搬送部
７      穀稈引起し装置
７ａ    引起し前ケース
４５    横伝動軸
４６ａ  取付ピン
４６ｂ  係止杆
４７    引起し上部カバー
４７ａ  クリップ
４８ａ  駆動第二軸（第二軸）
４８ｂ  駆動第一軸（第一軸）
【図１】
2012029569.tif 000003
【図２】
2012029569.tif 000004
【図３】
2012029569.tif 000005
【図４】
2012029569.tif 000006
【図５】
2012029569.tif 000007
【図６】
2012029569.tif 000008
【図７】
2012029569.tif 000009
【図８】
2012029569.tif 000010
【図９】
2012029569.tif 000011
【図１０】
2012029569.tif 000012
【図１１】
2012029569.tif 000013